(57)【要約】【課題】隙間等の開口部を遮蔽する遮蔽部材が押し付けられた状態で設置される構成において、遮蔽部材の捻れや撓みに起因して大きな隙間が形成されることを抑制する。【解決手段】撮像素子支持構造１は、光軸Ａが貫通する第１開口部１５０を有するマスターフランジ１５５と、光軸Ａ方向を向いて見たときに第１開口部１５０内に位置する状態でマスターフランジ１５５に取付板１６０を介して取り付けられる撮像素子１１０と、第１開口部１５０におけるマスターフランジ１５５と撮像素子１１０との間の隙間を遮蔽する防塵シート１７０とを備えている。防塵シート１７０は、第１開口部１５０の開口縁１５０ａに押し付けられた状態で配置され、第１開口部１５０の開口縁１５０ａは、長方形状であって、隅部１５２，１５２，…が外方に張り出した形状をしている。【選択図】図４
2012023718.tif 000002
【特許請求の範囲】
【請求項１】
開口部を有する第１部材と、
前記開口部を遮蔽する遮蔽部材と、
前記遮蔽部材のうち前記開口部よりも内側の部分を第１部材へ向けて押圧する第２部材とを備え、
前記開口部の開口縁は、多角形状であって、隅部が外方に張り出した形状をしている遮蔽構造。
【請求項２】
前記開口部の開口縁は、多角形の辺に相当する直線状の辺部を有し、
前記隅部のうち前記辺部と連結される部分は、曲線で形成されている、請求項１に記載の遮蔽構造。
【請求項３】
前記隅部のうち外方に最も張り出した部分は、曲線で形成されている、請求項１又は２に記載の遮蔽部材。
【請求項４】
前記遮蔽部材は、多角形状であって、隅部が外方に張り出した形状をしている、請求項１乃至３の何れか１つに記載の遮蔽構造。
【請求項５】
光軸が貫通する開口部を有するマスターフランジと、
前記光軸方向を向いて見たときに前記開口部内に位置する状態で前記マスターフランジに直接的又は間接的に取り付けられる撮像素子と、
前記開口部における前記マスターフランジと前記撮像素子との間の隙間を遮蔽する遮蔽部材とを備え、
前記遮蔽部材は、前記開口部の開口縁に押し付けられた状態で配置され、
前記開口部の開口縁は、多角形状であって、隅部が外方に張り出した形状をしている撮像素子支持構造。
【請求項６】
光軸が貫通する開口部を有するマスターフランジと、
前記マスターフランジに取り付けられる取付部材と、
前記取付部材に取り付けられ、前記光軸方向を向いて見たときに前記開口部内に位置する撮像素子と、
前記開口部における前記マスターフランジと前記取付部材との間の隙間を遮蔽する遮蔽部材とを備え、
前記遮蔽部材は、前記開口部の開口縁に押し付けられた状態で配置され、
前記開口部の開口縁は、多角形状であって、隅部が外方に張り出した形状をしている撮像素子支持構造。
【請求項７】
前記開口部の開口縁は、多角形の辺に相当する直線状の辺部を有し、
前記隅部のうち前記辺部と連結される部分は、曲線で形成されている、請求項５又は６に記載の撮像素子支持構造。
【請求項８】
前記隅部のうち外方に最も張り出した部分は、曲線で形成されている、請求項５乃至７の何れか１つに記載の撮像素子支持構造。
【請求項９】
前記遮蔽部材は、多角形状であって、隅部が外方に張り出した形状をしている、請求項５乃至８の何れか１つに記載の撮像素子支持構造。
【請求項１０】
前記撮像素子の前記マスターフランジに対する傾きを調整可能な傾き調整機構をさらに備えた、請求項５乃至９の何れか１つに記載の撮像素子支持構造。
【発明の詳細な説明】
【技術分野】
【０００１】
ここに開示された技術は、開口部を遮蔽する遮蔽構造および撮像素子支持構造に関する。
【背景技術】
【０００２】
従来より、隙間等の開口部を遮蔽する遮蔽構造として、様々な構造が知られている。その遮蔽構造の１つとして、撮像素子支持構造における遮蔽構造がある。
【０００３】
例えば、特許文献１に係る撮像素子支持構造においては、ＣＣＤホルダの背面側に、マスク部材、ローパスフィルタ、保護部材、撮像素子、保持部材、フレキシブルプリント基板がこの順で配列されている。保護部材は、撮像素子の方へ向かってスカート状に広がっている。そして、保護部材の内縁部（前端部）はローパスフィルタに当接する一方、保護部材の外縁部（後端部）は保持部材に当接している。撮像素子は、保護部材の内方に位置し、接着剤を介して保持部材に固着されている。保持部材は、複数のネジを介してＣＣＤホルダに取り付けられている。こうして、保護部材は、ローパスフィルタと保持部材との間の隙間を遮蔽して、撮像素子の撮像面へ塵や埃等の異物が侵入しないようにしている。
【先行技術文献】
【特許文献】
【０００４】
【特許文献１】特開２００８−２０５７２３号公報
【発明の概要】
【発明が解決しようとする課題】
【０００５】
前記特許文献１に係る撮像素子支持構造においては、複数のネジの締め付け量を調整することによって、撮像素子の傾きが調整される。しかし、この構造では、ネジの締め付け量の程度によって、保護部材に捩れや撓みが生じる可能性がある。そして、この捩れや撓みに起因して、保護部材とローパスフィルタとの間、又は保護部材と保持部材との間において、相互に位置ズレが発生する可能性がある。このような位置ズレが発生した場合は、外部から塵や埃等の異物が侵入して、撮像素子の撮像面に塵や埃等の異物が付着する虞がある。
【０００６】
ここに開示された技術は、かかる点に鑑みてなされたものであり、その目的とするところは、隙間等の開口部を遮蔽する遮蔽部材が押し付けられた状態で設置される構成において、遮蔽部材の捻れや撓みに起因して大きな隙間が形成されることを抑制することにある。
【課題を解決するための手段】
【０００７】
ここに開示された遮蔽構造は、開口部を有する第１部材と、前記開口部を遮蔽する遮蔽部材と、前記遮蔽部材のうち前記開口部よりも内側の部分を第１部材へ向けて押圧する第２部材とを備え、前記開口部の開口縁は、多角形状であって、隅部が外方に張り出した形状をしているものとする。
【０００８】
また、ここに開示された撮像素子支持構造は、光軸が貫通する開口部を有するマスターフランジと、前記光軸方向を向いて見たときに前記開口部内に位置する状態で前記マスターフランジに直接的又は間接的に取り付けられる撮像素子と、前記開口部における前記マスターフランジと前記撮像素子との間の隙間を遮蔽する遮蔽部材とを備え、前記遮蔽部材は、前記開口部の開口縁に押し付けられた状態で配置され、前記開口部の開口縁は、多角形状であって、隅部が外方に張り出した形状をしているものとする。
【０００９】
さらに、ここに開示された別の撮像素子支持構造は、光軸が貫通する開口部を有するマスターフランジと、前記マスターフランジに取り付けられる取付部材と、前記取付部材に取り付けられ、前記光軸方向を向いて見たときに前記開口部内に位置する撮像素子と、前記開口部における前記マスターフランジと前記取付部材との間の隙間を遮蔽する遮蔽部材とを備え、前記遮蔽部材は、前記開口部の開口縁に押し付けられた状態で配置され、前記開口部の開口縁は、多角形状であって、隅部が外方に張り出した形状をしているものとする。
【発明の効果】
【００１０】
前記遮蔽構造によれば、遮蔽部材が第２部材により押圧されても、開口部の隅部に遮蔽部材が広がるスペースを確保することができるため、遮蔽部材の捻れや撓みが緩和される。その結果、遮蔽部材と第１部材との間の隙間を抑制することができる。
【００１１】
また、前記撮像素子支持構造によれば、遮蔽部材が開口部の開口縁に押し付けられる構成であっても、開口部の隅部に遮蔽部材が広がるスペースを確保することができるため、遮蔽部材の捻れや撓みが緩和される。その結果、遮蔽部材と開口部の開口縁との間の隙間を抑制することができる。
【図面の簡単な説明】
【００１２】
【図１】実施形態１に係るレンズ鏡筒の、斜め前方からの斜視図である。
【図２】レンズ鏡筒の、斜め後方からの斜視図である。
【図３】レンズ鏡筒の、縦断面図である。
【図４】レンズ鏡筒の撮像素子周辺部の分解斜視図である。
【図５】第１開口部の正面図である。
【図６】防塵シートの正面図である。
【図７】図３の囲み部VIIにおける拡大断面図である。
【図８】実施形態２に係る撮像素子支持構造の分解斜視図である。
【図９】撮像素子構造の正面図である。
【図１０】撮像素子構造の、図９のＸ−Ｘ線における断面図である。
【図１１】実施形態３に係る撮像素子の正面図である。
【図１２】撮像素子支持構造の、図１１のXII−XII線における断面図である。
【図１３】実施形態４に係る容器の分解斜視図である。
【図１４】容器の正面図である。
【図１５】容器の、図１４のXV−XV線における断面図である。
【図１６】第１変形例に係る第１開口部の正面図である。
【図１７】第２変形例に係る第１開口部の正面図である。
【図１８】第３変形例に係る第１開口部の正面図である。
【図１９】第４変形例に係る第１開口部の正面図である。
【発明を実施するための形態】
【００１３】
以下、例示的な実施形態について説明する。
【００１４】
《発明の実施形態１》
図１は、本実施形態１に係るレンズ鏡筒の、斜め前方からの斜視図であり、図２は、レンズ鏡筒の、斜め後方からの斜視図であり、図３は、レンズ鏡筒の、縦断面図である。
【００１５】
［１．レンズ鏡筒１００の構成］
本実施形態では、レンズ鏡筒１００における遮蔽構造について説明する。この遮蔽構造は、撮像素子支持構造１の一部となっている。
【００１６】
レンズ鏡筒１００は、デジタルスチルカメラやビデオムービー等の撮像装置に用いられる。レンズ鏡筒１００は、その内部にズームレンズやフォーカスレンズ等の各種レンズを有する光学系と、入射する光を電気信号に変換して出力する撮像素子１１０を備えている。被写体からの光線は、前記光学系を介して、撮像素子１１０に光学像として結像される。撮像素子１１０は、ＣＣＤ（Ｃｈａｒｇｅ  Ｃｏｕｐｌｅｄ  Ｄｅｖｉｃｅ）センサ又はＣＭＯＳ（Ｃｏｍｐｌｅｍｅｎｔａｒｙ  ｍｅｔａｌ−ｏｘｉｄｅ  Ｓｅｍｉｃｏｎｄｕｃｔｏｒ）センサで構成される。
【００１７】
レンズ鏡筒１００は、沈胴タイプである。詳しくは、レンズ鏡筒１００は、第１鏡筒１２１と、第１鏡筒１２１を収容する第２鏡筒１２２と、第２鏡筒１２２を収容する第３鏡筒１２３と、第３鏡筒１２３を収容する固定鏡筒１２４とを有している。固定鏡筒１２４は、概ね、カメラ本体（図示省略）内に収納されている。撮影をする場合には、第１鏡筒１２１が第２鏡筒１２２に対して繰り出されたり、第２鏡筒１２２が第３鏡筒１２３に対して繰り出されたり、第３鏡筒１２３が固定鏡筒１２４に対して繰り出されたりする。一方、撮影しない場合には、第１鏡筒１２１が第２鏡筒１２２に収納され、第２鏡筒１２２が第３鏡筒１２３に収納され、第３鏡筒１２３が固定鏡筒１２４に収納される。こうして、非撮影時には、レンズ鏡筒１００は、カメラ本体内に収納される。
【００１８】
レンズ鏡筒１００の光学系は、光学像を取り込むためのレンズ群と、ズーム用のレンズ群と、フォーカス用のレンズ群とを有している。これらのレンズ群は、各種レンズ枠やカム枠に保持され、光軸Ａ方向に移動可能に構成されている。撮影時には、各々のレンズ群の間隔が調整され、光学像のズームやフォーカスが調整される。これらのレンズ群を通過した被写体からの光線が光学像として撮像素子１１０に結像される。
【００１９】
ズーム用のレンズ群は、ズームレンズ１３１〜１３６によって構成されている。このズームレンズ１３１〜１３６は、ズームモータユニットによって、光軸Ａ方向に駆動される。また、フォーカス用のレンズ群は、フォーカスレンズ１３７によって構成されている。このフォーカスレンズ１３７は、フォーカスモータユニットによって光軸Ａ方向に駆動される。
【００２０】
レンズ鏡筒１００には、撮像素子支持構造１が含まれている。図４は、レンズ鏡筒の撮像素子周辺部の分解斜視図であり、図５は、第１開口部の正面図であり、図６は、防塵シートの正面図であり、図７は、図３の囲み部VIIにおける拡大断面図である。撮像素子支持構造１は、図３，４に示すように、光軸Ａが貫通する第１開口部１５０を有するマスターフランジ１５５と、マスターフランジ１５５に取り付けられる取付板１６０と、取付板１６０に支持され、光軸Ａ方向を向いて見たときに第１開口部１５０内に位置する撮像素子１１０と、第１開口部１５０における、マスターフランジ１５５と撮像素子１１０との間の隙間を遮蔽する防塵シート１７０とを備えている。尚、以下の説明においては、説明の便宜上、光軸Ａ方向における被写体側を前側とし、その反対側を後側とする。また、背面とは、後側の面を意味する。
【００２１】
マスターフランジ１５５は、略板状の部材である。第１開口部１５０は、マスターフランジ１５５の略中央に貫通形成されている。第１開口部１５０は、略長方形状をしている。第１開口部１５０のさらに詳細な形状については後述する。また、マスターフランジ１５５の背面側には、取付板１６０をネジ止めするための３つのネジ孔（図示省略）が設けられている。このマスターフランジ１５５が第１部材を構成する。
【００２２】
撮像素子１１０は、板状の部材である。撮像素子１１０は、第１開口部１５０よりも小さい長方形状をしている。撮像素子１１０は、取付板１６０を介してマスターフランジ１５５に間接的に取り付けられる。この撮像素子１１０は、第２部材を構成する。
【００２３】
防塵シート１７０は、弾性及び遮光性のあるプラスチック製の薄板で構成されている。防塵シート１７０は、略長方形状の枠状に形成されている。防塵シート１７０は、略長方形状の外周形状を有すると共に、中央に略長方形状の第２開口部１７５を有している。防塵シート１７０の外周形状は、マスターフランジ１５５の第１開口部１５０よりも大きい。また、第２開口部１７５は、撮像素子１１０よりも小さい。防塵シート１７０のさらに詳細な形状については後述する。防塵シート１７０の第２開口部１７５の開口縁部は、撮像素子１１０の前面の周縁部に両面テープ１８０を介して接着される。また、防塵シート１７０の前面には、第２開口部１７５を覆うようにフィルタガラス１９０が両面テープ１８０を介して接着される。この防塵シート１７０が遮蔽部材を構成する。
【００２４】
取付板１６０は、板状の部材である。取付板１６０には、ビス１６２，１６２，…が挿通される３つの貫通孔１６１，１６１，…が設けられている。また、取付板１６０には、撮像素子１１０が接着されている。この取付板１６０が取付部材を構成する。
【００２５】
取付板１６０をビス１６２，１６２，…を介してマスターフランジ１５５に取り付けると、光軸Ａ方向を向いて見たときに、撮像素子１１０はマスターフランジ１５５の第１開口部１５０内に位置する。そして、防塵シート１７０は、マスターフランジ１５５の背面側から、第１開口部１５０の開口縁１５０ａに当接している。このとき、防塵シート１７０は、第１開口部１５０の開口縁１５０ａの全周に亘って当接している。撮像素子１１０は第１開口部１５０よりも小さいため、第１開口部１５０においては、マスターフランジ１５５と撮像素子１１０との間に隙間が形成される。しかし、この隙間は、防塵シート１７０により遮蔽される。こうして、この隙間からレンズ鏡筒１００の内部に塵、埃等の異物が侵入することを抑制している。
【００２６】
ここで、３つのビス１６２，１６２，…の締め付け量をそれぞれ調整することによって、撮像素子１１０の光軸Ａに対する傾きを調整することができる。すなわち、マスターフランジ１５５のネジ孔、取付板１６０の貫通孔１６１，１６１，…及びビス１６２，１６２，…が傾き調整機構を構成する。
【００２７】
［２．第１開口部１５０の構成］
以下、第１開口部１５０の詳細な形状について説明する。第１開口部１５０の開口縁１５０ａは、略長方形状であって、隅部が外方に張り出した形状をしている。詳しくは、第１開口部１５０の開口縁１５０ａは、長方形の長辺に相当する、互いに平行な一組の直線状の長辺部１５１ａ，１５１ｃと、長方形の短辺に相当する、互いに平行な一組の直線状の短辺部１５１ｂ，１５１ｄと、長方形の角に相当する、４つの隅部１５２，１５２，…とを有している。ここで、「直線状」とは、厳密に直線である必要はなく、実質的に直線となった形状を意味する。すなわち、多少、湾曲した形状であっても細く延びる形状であればよい。各隅部１５２は、長辺部１５１ａ，１５１ｃ及び短辺部１５１ｂ，１５１ｄをそれぞれ延長して形成される長方形（図５中に二点鎖線で図示）よりも外方に張り出している。隅部１５２は、全体として釣鐘状に形成されている。隅部１５２のうち、少なくとも、外方に最も張り出した部分である頂部１５２ａと、長辺部１５１ａ（１５１ｃ）及び短辺部１５１ｂ（１５１ｄ）と連結される部分である裾部１５２ｂ，１５２ｂとは、曲線で形成されている。ここで、「外方に最も張り出した部分」とは、第１開口部１５０の中心（重心）から最も離れた部分を意味する。頂部１５２ａは、第１開口部１５０の外方へ凸状に湾曲している。裾部１５２ｂは、第１開口部１５０の内方へ凹状に湾曲している。こうして、隅部１５２は、長辺部１５１ａ（１５１ｃ）及び短辺部１５１ｂ（１５１ｄ）と滑らかに連結され、隅部１５２自体も滑らかな曲線で形成されている。
【００２８】
［３．防塵シート１７０の構成］
ここで、防塵シート１７０の構成について詳細に説明する。防塵シート１７０の外周形状は、略長方形状であって、隅部が外方に張り出した形状をしている。詳しくは、防塵シート１７０は、長方形の長辺に相当する、互いに平行な一組の直線状の長辺部１７１ａ，１７１ｃと、長方形の短辺に相当する、互いに平行な一組の直線状の短辺部１７１ｂ，１７１ｄと、長方形の角に相当する、４つの隅部１７２，１７２，…とを有している。各隅部１７２は、長辺部１７１ａ，１７１ｃ及び短辺部１７１ｂ，１７１ｄをそれぞれ延長して形成される長方形（図６中に二点鎖線で図示）よりも外方に張り出している。隅部１７２は、全体として釣鐘状に形成されている。隅部１７２のうち、少なくとも、外方に最も張り出した部分である頂部１７２ａと、長辺部１７１ａ（１７１ｃ）及び短辺部１７１ｂ（１７１ｄ）と連結される部分である裾部１７２ｂ，１７２ｂとは、曲線で形成されている。頂部１７２ａは、防塵シート１７０の外方へ凸状に湾曲している。裾部１７２ｂは、防塵シート１７０の内方へ凹状に湾曲している。こうして、隅部１７２は、長辺部１７１ａ（１７１ｃ）及び短辺部１７１ｂ（１７１ｄ）と滑らかに連結され、隅部１７２自体も滑らかな曲線で形成されている。
【００２９】
［４．防塵シート１７０の設置］
このように構成された防塵シート１７０は、マスターフランジ１５５に設置したときに、取付板１６０の押圧によって、撮像素子１１０を介してマスターフランジ１５５の第１開口部１５０の開口縁１５０ａに押し付けられる。ここで、マスターフランジ１５５の背面においては、図７に示すように、第１開口部１５０の開口縁１５０ａが面取りされて、光軸Ａに対して傾斜した面で構成されている。すなわち、マスターフランジ１５５の背面において、第１開口部１５０の開口縁１５０ａは、或る程度の幅を有した傾斜面１５０ｃで構成されている。したがって、防塵シート１７０は、第１開口部１５０の開口縁１５０ａとしての傾斜面１５０ｃに当接することになる。
【００３０】
ここで、防塵シート１７０の中央部は、撮像素子１１０により前方に押圧され、周縁部は、第１開口部１５０の開口縁１５０ａにより動きが拘束されるため、防塵シート１７０は、中央部が周縁部よりも前方へ突出するように変形する。その際、防塵シート１７０には、撓みや捩れによる皺が発生する。この皺は、第１開口部１５０の中心（重心）に近い部分、例えば、長辺部１５１ａ，１５１ｃ及び短辺部１５１ｂ，１５１ｄの中央には発生し難く、第１開口部１５０の中心（重心）から離れた部分である隅部１５２，１５２，…に集中し易い。本実施形態では、隅部１５２，１５２，…が外方に張り出した形状となっているため、第１開口部１５０の開口縁１５０ａが単純な長方形である場合と比較して、隅部１５２，１５２，…におけるスペースが拡大されている。そのため、単純な長方形であれば、長方形の角部で皺を形成していた防塵シート１７０は、隅部１５２内に入り込むように広がり、皺の発生が抑制される。その結果、防塵シート１７０とマスターフランジ１５５との密着性が高くなり、防塵シート１７０とマスターフランジ１５５との間の隙間から塵や埃等の異物が侵入することを抑制することができる。
【００３１】
［５．実施形態の効果］
本実施形態では、撮像素子支持構造１は、光軸Ａが貫通する第１開口部１５０を有するマスターフランジ１５５と、光軸Ａ方向を向いて見たときに第１開口部１５０内に位置する状態でマスターフランジ１５５に間接的に取り付けられる撮像素子１１０と、第１開口部１５０におけるマスターフランジ１５５と撮像素子１１０との間の隙間を遮蔽する防塵シート１７０とを備えている。そして、防塵シート１７０は、第１開口部１５０の開口縁１５０ａに押し付けられた状態で配置され、第１開口部１５０の開口縁１５０ａは、実質的に長方形状であって、隅部１５２，１５２，…が外方に張り出した形状をしている。こうして、第１開口部１５０の隅部１５２，１５２，…を外方に張り出した形状とすることによって、防塵シート１７０が広がるスペースを確保することができ、防塵シート１７０の皺を低減することができる。
【００３２】
つまり、防塵シート１７０をマスターフランジ１５５に押し付け、中央部が周縁部よりも前方へ突出するように防塵シート１７０が変形する構成においては、防塵シート１７０には捻れや撓みが生じてしまう。その結果、防塵シート１７０に皺が発生する。特に、本実施形態では、防塵シート１７０の外周縁は自由端であるため、防塵シート１７０と第１開口部１５０の開口縁１５０ａとの当接部において皺が生じ易く、防塵シート１７０と第１開口部１５０の開口縁１５０ａとの当接部に隙間が発生してしまう虞がある。
【００３３】
それに対し、防塵シート１７０の皺が集中し易い、第１開口部１５０の隅部１５２，１５２，…を外方に張り出した形状とすることによって、防塵シート１７０を隅部１５２内に入り込むように広がらせることができ、防塵シート１７０に発生する皺を低減することができる。その結果、防塵シート１７０とマスターフランジ１５５との間の隙間から塵や埃等の異物が侵入することを抑制することができる。
【００３４】
また、隅部１５２のうち長辺部１５１ａ（１５１ｃ）及び短辺部１５１ｂ（１５１ｄ）と連結される裾部１５２ｂ，１５２ｂは、曲線で形成されている。これにより、防塵シート１７０と開口縁１５０ａとの密着性を向上させることができる。
【００３５】
つまり、隅部１５２と長辺部１５１ａ（１５１ｃ）及び短辺部１５１ｂ（１５１ｄ）との連結部が角張っていると、防塵シート１７０と開口縁１５０ａとの密着性を確保するためには、防塵シート１７０を該連結部において折り曲げる必要がある。しかしながら、平坦な防塵シート１７０を開口縁１５０ａに押し付けるだけの構成において、防塵シート１７０を自然に屈曲させることは難しく、さらに、防塵シート１７０のどの部分が該連結部に位置するかは押し付け量によって変化するため、防塵シート１７０を予め折り曲げておくことも難しい。
【００３６】
それに対して、隅部１５２の裾部１５２ｂ，１５２ｂは、曲線で形成され、第１開口部１５０の長辺部１５１ａ（１５１ｃ）及び短辺部１５１ｂ（１５１ｄ）と滑らかに連結されている。つまり、防塵シート１７０を開口縁１５０ａに押し付けることによって、防塵シート１７０を開口縁１５０ａに沿って自然に湾曲させることができる。その結果、防塵シート１７０と開口縁１５０ａとの密着性を向上させることができる。
【００３７】
さらに、隅部１５２の頂部１５２ａも曲線で形成されているため、防塵シート１７０と開口縁１５０ａとの密着性をさらに向上させることができる。つまり、隅部１５２の頂部１５２ａにおいては、防塵シート１７０が最も大きく湾曲する。隅部１５２の頂部１５２ａが角張っていると、防塵シート１７０は折れ曲がらなければ、防塵シート１７０と開口縁１５０ａとの密着性を確保することができない。それに対し、隅部１５２の頂部１５２ａを曲線で形成することによって、防塵シート１７０を緩やかに湾曲させることで防塵シート１７０と開口縁１５０ａとの密着性を確保することができる。
【００３８】
さらに、防塵シート１７０を、第１開口部１５０の開口縁１５０ａと同様の形状にすることによって、防塵シート１７０と開口縁１５０ａとの密着性を向上させることができる。防塵シート１７０が中央ほど前方に突出するように変形する際には、周縁部ほど大きな皺が発生する。皺となっている部分は、防塵シート１７０の変形に際して余分な部分であり、防塵シート１７０の変形を多少なりとも阻害している。それに対して、本実施形態では、防塵シート１７０を、第１開口部１５０の開口縁１５０ａと同じように、４つの隅部を有する長方形状とし、４つの隅部が外方に張り出した形状としている。つまり、防塵シート１７０の周縁部において、第１開口部１５０の開口縁１５０ａの隅部１５２，１５２，…に対応する部分は、隅部１５２，１５２，…との当接を維持するために外方に張り出しているが、それ以外の部分は開口縁１５０ａのうち長辺部１５１ａ，１５１ｃ及び短辺部１５１ｂ，１５１ｄとの当接を維持できる程度まで内側に切り込まれている。このように、防塵シート１７０の周縁部のうち不要な部分が切り欠かれているため、防塵シート１７０が変形する際の周縁部における皺の発生が抑制され、防塵シート１７０を容易に変形させることができる。それに加えて、防塵シート１７０を、開口縁１５０ａの隅部１５２，１５２，…に対応する部分を含む大きな長方形状とする場合に比べて、防塵シート１７０の面積を小さくして材料コストを低減することができる。さらに、防塵シート１７０の周縁部のうち切り欠かれた部分には、他の部品を配置する等して、スペースを有効に活用することができる。
【００３９】
また、撮像素子支持構造１は、撮像素子１１０のマスターフランジ１５５に対する傾きを調整可能な傾き調整機構をさらに備えている。調整機構は、撮像素子１１０のマスターフランジ１５５への押し付け量を調整することによって、撮像素子１１０のマスターフランジ１５５に対する傾きを調整することができる。かかる構成では、撮像素子１１０のマスターフランジ１５５への押し付け量を調整することによって、防塵シート１７０のマスターフランジ１５５への押し付け量も変化する。それに対して、第１開口部１５０の開口縁１５０ａは隅部１５２，１５２，…が外方に張り出した形状をしているため、防塵シート１７０の押し付け量が変化しても、防塵シート１７０の皺の発生を抑制することができる。
【００４０】
《発明の実施形態２》
続いて、実施形態２について説明する。図８は、実施形態２に係る撮像素子支持構造の分解斜視図を、図９は、撮像素子支持構造の正面図を、図１０は、図９のＸ−Ｘ線における断面図を示す。
【００４１】
実施形態２に係る撮像素子支持構造２は、撮像素子１１０及び防塵シート１７０等の配置が異なる。そこで、実施形態１と同様の構成については、同様の符号を付して説明を省略し、異なる構成を中心に説明する。
【００４２】
撮像素子支持構造２は、マスターフランジ１５５（図９においてのみ図示）と、マスターフランジ１５５に固定される取付板２６０と、取付板２６０に支持され、光軸Ａ方向を向いて見たときに第１開口部１５０内に位置する撮像素子１１０と、第１開口部１５０における、マスターフランジ１５５と取付板２６０との間の隙間を遮蔽する防塵シート１７０とを備えている。
【００４３】
取付板２６０は、板状の部材である。取付板２６０には、ビス（図示省略）が挿通される３つの貫通孔２６１，２６１，…が設けられている。取付板２６０の中央には、前方に膨出する膨出部２６３が設けられている。膨出部２６３は、撮像素子１１０よりも大きく且つマスターフランジ１５５の第１開口部１５０よりは小さな略長方形状をしている。膨出部２６３の中央には、開口部２６４が貫通形成されている。この膨出部２６３は、背面側から撮像素子１１０が嵌め込まれ、撮像素子１１０の撮像面が開口部２６４を介して前方へ露出している。撮像素子１１０の前面における周縁部が、取付板２６０の膨出部２６３に対して背面側から接着されている。この取付板２６０が取付部材を構成する。
【００４４】
防塵シート１７０は、取付板２６０の膨出部２６３の前面に接着されている。防塵シート１７０の第２開口部１７５は、膨出部２６３よりも小さく、開口部２６４よりも大きい。防塵シート１７０の前面には、第２開口部１７５を覆うようにフィルタガラス１９０が両面テープを介して接着されている。
【００４５】
撮像素子１１０の背面には、フレキシブル基板２８０が取り付けられている。フレキシブル基板２８０と撮像素子１１０とは、電気的に導通している。
【００４６】
このように構成された取付板２６０をビスを介してマスターフランジ１５５に取り付ける。こうして、撮像素子１１０は、取付板２６０を介してマスターフランジ１５５に間接的に取り付けられている。この状態において、撮像素子１１０及び膨出部２６３は、光軸Ａ方向を向いて見たときに、マスターフランジ１５５の第１開口部１５０内に位置する。そして、防塵シート１７０は、マスターフランジ１５５の背面側から、第１開口部１５０の開口縁１５０ａに当接している。このとき、防塵シート１７０は、第１開口部１５０の開口縁１５０ａの全周に亘って当接している。膨出部２６３は第１開口部１５０よりも小さいため、第１開口部１５０においては、マスターフランジ１５５と膨出部２６３との間に隙間が形成される。しかし、この隙間は、防塵シート１７０により遮蔽される。こうして、この隙間からレンズ鏡筒の内部に塵、埃等の異物が侵入することを抑制している。
【００４７】
つまり、実施形態１では、防塵シート１７０がマスターフランジ１５５と撮像素子１１０との間の隙間を遮蔽していたのに対し、実施形態２では、防塵シート１７０は、マスターフランジ１５５と取付板２６０との間の隙間を遮蔽している。このような構成であっても、取付板２６０をマスターフランジ１５５に取り付けることによって、防塵シート１７０は、膨出部２６３が接着された中央部が周縁部よりも前方に突出するように変形する。このとき、防塵シート１７０に捻れや撓みが発生するが、第１開口部１５０の開口縁１５０ａの隅部１５２，１５２，…を設けることによって防塵シート１７０が皺を形成せずに広がるスペースを確保することができ、防塵シート１７０の皺を低減することができる。これにより、防塵シート１７０とマスターフランジ１５５との間の隙間を抑制することができると共に、防塵シート１７０と膨出部２６３及びフィルタガラス１９０との剥離を抑制することができる。
【００４８】
したがって、本実施形態によれば、撮像素子支持構造２は、光軸Ａが貫通する第１開口部１５０を有するマスターフランジ１５５と、マスターフランジ１５５に取り付けられる取付板２６０と、取付板２６０に取り付けられ、光軸Ａ方向を向いて見たときに第１開口部１５０内に位置する撮像素子１１０と、第１開口部１５０におけるマスターフランジ１５５と取付板２６０との間の隙間を遮蔽する防塵シート１７０とを備えている。そして、防塵シート１７０は、第１開口部１５０の開口縁１５０ａに押し付けられた状態で配置され、第１開口部１５０の開口縁１５０ａは、実質的に長方形状であって、隅部１５２，１５２，…が外方に張り出した形状をしている。こうして、第１開口部１５０の隅部１５２，１５２，…を外方に張り出した形状とすることによって、防塵シート１７０が広がるスペースを確保することができ、防塵シート１７０の皺を低減することができる。
【００４９】
《発明の実施形態３》
続いて、実施形態３について説明する。図１１は、実施形態３に係る撮像素子の正面図を、図１２は、撮像素子支持構造の、図１１のXII−XII線における断面図を示す。
【００５０】
実施形態３に係る撮像素子支持構造３は、撮像素子がマスターフランジに直接取り付けられている点で、実施形態１と異なる。そこで、実施形態１と同様の構成については同様の符号を付して説明を省略し、異なる構成を中心に説明する。
【００５１】
実施形態３に係る撮像素子３１０は、セラミック基板３１１と、セラミック基板３１１の一方の主面に設けられた半導体素子３１２と、中央に開口部３１３ａを有する板状の樹脂パッケージ３１３と、樹脂パッケージ３１３の開口部３１３ａを覆うカバーガラス３１４とを有している。
【００５２】
セラミック基板３１１は、略長方形状の板状の部材である。半導体素子３１２は、略長方形状をしており、光電変換機能を有する。
【００５３】
樹脂パッケージ３１３の開口部３１３ａは、セラミック基板３１１よりも小さく且つ半導体素子３１２よりも大きな略長方形状をしている。樹脂パッケージ３１３には、背面側からセラミック基板３１１が取り付けられている。このとき、半導体素子３１２は、開口部３１３ａ内に位置している。カバーガラス３１４は、開口部３１３ａを覆うように、樹脂パッケージ３１３の前面に取り付けられている。樹脂パッケージ３１３には、ビスが挿通される貫通孔３１３ｂ，３１３ｂが貫通形成されている。これら貫通孔３１３ｂ，３１３ｂに挿通されたビスを介して、撮像素子３１０がマスターフランジ１５５（図１２においてのみ図示）に取り付けられる。この樹脂パッケージ３１３が取付部を構成する。
【００５４】
ここで、カバーガラス３１４の前面には防塵シート１７０（図１２においてのみ図示）が接着されている。防塵シート１７０の構成は、実施形態１と同様である。防塵シート１７０の第２開口部１７５は、カバーガラス３１４よりも小さい。防塵シート１７０は、カバーガラス３１４の大部分が第２開口部１７５から露出するように、カバーガラス３１４の前面に接着される。
【００５５】
撮像素子３１０がマスターフランジ１５５に取り付けられた状態において、光軸Ａ方向を向いて見たときに、カバーガラス３１４がマスターフランジ１５５の第１開口部１５０内に位置する。防塵シート１７０はマスターフランジ１５５の第１開口部１５０の開口縁１５０ａに押し付けられ、撮像素子３１０が接着されている中央部が周縁部よりも前方へ突出するように変形する。このとき、防塵シート１７０に捻れや撓みが発生するが、第１開口部１５０の開口縁１５０ａの隅部１５２，１５２，…を設けることによって防塵シート１７０が広がるスペースを確保することができ、防塵シート１７０の皺を低減することができる。これにより、防塵シート１７０とマスターフランジ１５５との間の隙間を抑制することができると共に、防塵シート１７０と膨出部２６３及びフィルタガラス１９０との剥離を抑制することができる。
【００５６】
《発明の実施形態４》
続いて、実施形態４について説明する。図１３は、実施形態４に係る容器の分解斜視図を、図１４は、実施形態４に係る容器の正面図を、図１５は、容器の、図１３のXV−XV線における断面図を示す。
【００５７】
実施形態４に係る容器４００は、例えば、食品等を収容するものである。容器４００は、箱４１０と蓋４２０とを備えている。また、容器４００は、遮蔽構造４を備えている。
【００５８】
箱４１０は、内部に空洞を有する直方体状の部材である。直方体の相対向する一組の壁部４１０ａ，４１０ｂは、略正方形状に形成されている。そのうちの一方の壁部４１０ａの中央には、略正方形状の開口部４１１が貫通形成されている。この箱４１０が第１部材を構成する。
【００５９】
蓋４２０は、箱４１０の壁部４１０ａよりも大きな略正方形状の主壁部４２１と、主壁部４２１の周縁から垂直に延びる４つの周壁部４２２，４２２，…とを有している。主壁部４２１の中央には、蓋４２０の内方に陥没する陥没部４２３が形成されている。すなわち、陥没部４２３は、主壁部４２１から周壁部４２２が延びる方向と同じ方向に陥没している。陥没部４２３の断面は、開口部４１１よりも小さい略正方形状に形成されている。蓋４２０を箱４１０に設置した状態においては、陥没部４２３は開口部４１１の内方に位置する。この蓋４２０が第２部材を構成する。
【００６０】
ここで、箱４１０と蓋４２０との間には、防塵シート４７０が設けられている。防塵シート４７０は、弾性及び遮光性のあるプラスチック製の薄板で構成されている。防塵シート４７０は、箱４１０の壁部４１０ａよりも小さく、開口部４１１よりも大きな略正方形状をしている。防塵シート４７０は、開口部４１１を覆うようにして箱４１０に設置される。この防塵シート４７０が遮蔽部材を構成する。
【００６１】
さらに詳しくは、開口部４１１の開口縁４１１ａは、略正方形状であって、隅部が外方に張り出した形状をしている。詳しくは、開口部４１１の開口縁４１１ａは、正方形の辺に相当する４つの辺部４１２，４１２，…と、正方形の角に相当する、４つの隅部４１３，４１３，…とを有している。各隅部４１３は、辺部４１２，４１２，…をそれぞれ延長して形成される正方形（図中に二点鎖線で図示）よりも外方に張り出している。隅部４１３は、全体として釣鐘状に形成されている。隅部４１３のうち、少なくとも、外方に最も張り出した部分である頂部４１３ａと、辺部４１２，４１２と連結される部分である裾部４１３ｂ，４１３ｂとは、曲線で形成されている。頂部４１３ａは、開口部４１１の外方へ凸状に湾曲している。裾部４１３ｂは、開口部４１１の内方へ凹状に湾曲している。こうして、隅部４１３は、辺部４１２，４１２と滑らかに連結され、隅部４１３自体も滑らかな曲線で形成されている。
【００６２】
また、防塵シート４７０の外周形状は、略正方形状であって、隅部が外方に張り出した形状をしている。詳しくは、防塵シート４７０は、正方形の辺に相当する、直線状の辺部４７１，４７１，…と、正方形の角に相当する、４つの隅部４７２，４７２，…とを有している。ここで、「直線状」とは、厳密に直線である必要はなく、実質的に直線となった形状を意味する。すなわち、多少、湾曲した形状であっても細く延びる形状であればよい。各隅部４７２は、辺部４７１，４７１，…をそれぞれ延長して形成される正方形（図中に二点鎖線で図示）よりも外方に張り出している。隅部４７２は、全体として釣鐘状に形成されている。隅部４７２のうち、少なくとも、外方に最も張り出した部分である頂部４７２ａと、辺部４７１，４７１と連結される部分である裾部４７２ｂ，４７２ｂとは、曲線で形成されている。頂部４７２ａは、防塵シート４７０の外方へ凸状に湾曲している。裾部４７２ｂは、防塵シート４７０の内方へ凹状に湾曲している。こうして、隅部４７２は、辺部４７１，４７１と滑らかに連結され、隅部４７２自体も滑らかな曲線で形成されている。
【００６３】
遮蔽構造４は、このように構成された、箱４１０と、蓋４２０と、防塵シート４７０とを備えている。以下、遮蔽構造４について詳しく説明する。
【００６４】
前記防塵シート４７０は、箱４１０の開口部４１１を塞ぐ位置に配置され、その状態で、蓋４２０が箱４１０に取り付けられる。このとき、防塵シート４７０は、蓋４２０の陥没部４２３によって箱４１０の開口部４１１の開口縁４１１ａに押し付けられ、陥没部４２３が当接する中央部が周縁部よりも箱４１０の内方へ突出するように変形する。このとき、隅部４１３，４１３，…は、外方に張り出した形状となっており、防塵シート４７０が皺を形成せずに広がることができるスペースが確保されている。これにより、防塵シート４７０の皺を低減することができる。その結果、防塵シート４７０と箱４１０の開口部４１１との間の隙間を抑制することができる。
【００６５】
《その他の実施形態》
前記実施形態について、以下のような構成としてもよい。
【００６６】
第１開口部１５０の開口縁１５０ａは、四角形に限られない。開口縁１５０ａは、多角形状であればよく、三角形状、五角形状、六角形状等であってもよい。その場合、防塵シート１７０は、開口縁１５０ａと同様の多角形状（すなわち、同じ個数の隅部を有する多角形状）に形成される。すなわち、開口縁１５０ａが六角形状であれば、防塵シート１７０も六角形状となる。ここで、「多角形状」とは、多角形を構成する辺が厳密に直線である必要がなく、また、多角形の隅部が厳密に角をなしている必要がない（即ち、丸まっていてもよい）ことを意味する。
【００６７】
また、第１開口部１５０の開口縁１５０ａ及び防塵シート１７０の各辺部は、直線に限られるものではない。各辺部は、実質的に直線に形成されていれば、多少、湾曲又は屈曲していてもよい。
【００６８】
さらに、第１開口部１５０の開口縁１５０ａは、辺部と隅部の裾部との区別が明確でなくてもよい。例えば、図１６に示すように、隣接する２つの隅部１５２，１５２の一方の裾部１５２ｂと、長辺部１５１ａ（１５１ｃ）又は短辺部１５１ｂ（１５１ｄ）と、他方の隅部の裾部１５２ｂとが、連続的な曲線で形成されていてもよい。この場合、辺部が省略されていると捉えることもできるし、辺部が曲線で構成され、裾部１５２ｂ，１５２ｂと一体的になっていると捉えることもできる。
【００６９】
また、第１開口部１５０の開口縁１５０ａは、全ての隅部１５２，１５２，…が外方に張り出した形状となっているが、これに限られるものではない。すなわち、第１開口部１５０の開口縁１５０ａは、少なくとも１つの隅部１５２が外方に張り出した形状となっていれば、その部分においては防塵シート１７０の皺を低減することができる。その場合、防塵シート１７０は、少なくとも、外方に張り出した隅部１５２に対応する隅部が外方に張り出すように形成される。
【００７０】
さらに、第１開口部１５０の隅部１５２，１５２，…は、全て同じ形状をしているが、これに限られるものではない。また、防塵シート１７０の隅部は、全て同じ形状をしているが、これに限られるものではない。
【００７１】
さらにまた、隅部１５２は、頂部１５２ａ及び裾部１５２ｂ，１５２ｂが曲線で形成されているが、これに限られるものではない。頂部１５２ａ及び裾部１５２ｂ，１５２ｂの少なくとも１つが、折れ線の屈曲点又は直線（線分）で構成されていてもよい。例えば、図１７に示すように、頂部１５２ａが曲線ではなく、２つの曲線が繋がった端点（即ち、折れ線の屈曲点）で構成されていてもよい。また、図１８に示すように、頂部１５２ａが直線で構成されていてもよい。さらには、図１９に示すように、裾部１５２ｂ，１５２ｂが直線で構成されていてもよい。ただし、前述の如く、防塵シート１７０と第１開口部１５０の開口縁１５０ａとの密着性を向上させる観点からは、頂部１５２ａ及び裾部１５２ｂ，１５２ｂが曲線で形成されていることが好ましい。
【００７２】
また、前記実施形態では、第１開口部１５０の開口縁１５０ａと防塵シート１７０の外周形状は、実質的に相似な形状であるが、これに限られるものではない。開口縁１５０ａの辺部と防塵シート１７０の辺部とが同様の形状でなくてもよく、開口縁１５０ａの隅部と防塵シート１７０の隅部が同様の形状でなくてもよい。また、防塵シート１７０は、隅部が外方に張り出していなくてもよく、さらには、多角形状でなくてもよい。ただし、防塵シート１７０の外周形状は、第１開口部１５０の開口縁１５０ａと同じ個数の隅部を有する多角形状であって、開口縁１５０ａの隅部のうち外方に張り出した隅部に対応する防塵シート１７０の隅部が外方に張り出していることが好ましい。
【００７３】
また、以上の説明では、第１開口部１５０の開口縁１５０ａ及び防塵シート１７０について説明してきたが、開口部４１１及び防塵シート４７０についても同様である。
【００７４】
また、防塵シート１７０，４７０は、弾性及び遮光性のあるプラスチック製の薄板で構成されているが、防塵シート１７０，４７０の材料は、前記実施形態に限られるものではない。
【００７５】
さらに、撮像素子１１０，３１０をマスターフランジ１５５に直接又は間接的に取り付ける構成は、前記実施形態に限られるものではない。撮像素子１１０，３１０をマスターフランジ１５５に直接又は間接的に取り付けられる限りにおいては、任意の構成を採用することができる。
【００７６】
また、前記実施形態では、遮蔽構造を撮像素子支持構造としてレンズ鏡筒１００に用いた場合を説明したが、その他の機器の遮蔽構造にも適用できる。例えば、電子機器の筐体に設けられる表示部や操作部等の遮蔽構造に前記構成を適用することができる。つまり、電子機器においては、筐体に所定の開口部が設けられ、該開口部から表示部や操作部が外部に露出するように設けられる。この場合、筐体の開口部の開口縁と表示部又は操作部との間には隙間が形成される。この隙間を前記防塵シート１７０，４７０により遮蔽してもよい。例えば、表示部又は操作部に前記防塵シートを取り付け、該防塵シートを筐体の開口部の開口縁に内側から押し付けるように構成してもよい。
【産業上の利用可能性】
【００７７】
ここに開示された技術によれば、外部からの塵や埃等の異物の侵入を抑制できるので、各種の遮蔽構造を備えた機器に有用である。
【符号の説明】
【００７８】
Ａ          光軸
１，２，３  撮像素子支持構造
１００      レンズ鏡筒
１１０      撮像素子（第２部材）
１５０      第１開口部（開口部）
１５０ａ    開口縁
１５１ａ，１５１ｂ，１５１ｃ，１５１ｄ    辺部
１５２      隅部
１５２ａ    頂部（最も張り出した部分）
１５２ｂ    連結部（連結される部分）
１５５      マスターフランジ（第１部材）
１６０      取付板（第２部材、取付部材）
１６１      貫通孔（調整機構）
１６２      ビス（調整機構）
１７０      防塵シート（遮蔽部材）
１７２      隅部
２６０      取付板（第２部材、取付部材）
２６１      貫通孔（調整機構）
３１０      撮像素子（第２部材）
４００      容器
４１０      箱（第１部材）
４２０      蓋（第２部材）
４１１      開口部
４１１ａ    開口縁
４１２      辺部
４１３      隅部
４１３ａ    頂部（最も張り出した部分）
４１３ｂ    連結部（連結される部分）
４７０      防塵シート（遮蔽部材）
【図１】
2012023718.tif 000003
【図２】
2012023718.tif 000004
【図３】
2012023718.tif 000005
【図４】
2012023718.tif 000006
【図５】
2012023718.tif 000007
【図６】
2012023718.tif 000008
【図７】
2012023718.tif 000009
【図８】
2012023718.tif 000010
【図９】
2012023718.tif 000011
【図１０】
2012023718.tif 000012
【図１１】
2012023718.tif 000013
【図１２】
2012023718.tif 000014
【図１３】
2012023718.tif 000015
【図１４】
2012023718.tif 000016
【図１５】
2012023718.tif 000017
【図１６】
2012023718.tif 000018
【図１７】
2012023718.tif 000019
【図１８】
2012023718.tif 000020
【図１９】
2012023718.tif 000021